(57)【要約】      （修正有）【課題】化学電池を使用することなく、手動発電機を使用すること、環境にやさしい電子式体温計等として応用出来る温度計を提供する。【解決手段】本体部材とチップ部材を前記本体部材に確保される熱接触表面と共に含む。前記チップ部材の内部に設けられる熱センサは、熱接触表面を検知し、温度シグナルを生成するように適合される。一組のリード線が、前記熱シグナルを伝達するために前記熱センサと接続されている。表示モジュール１３が、前記本体部材に設けられる。開始電圧と操作電圧を持つ発電装置８０が前記本体部材内に設けられる。キャパシタ７４が、それにより生成された電気エネルギーを貯蔵し、プロセッサ７６へ電気エネルギーを供給するために、前記発電装置に電気的に接続される。閾値電圧を持つ電圧スイッチ７２を、前記キャパシタと前記プロセッサの間に接続し、前記閾値電圧を前記操作電圧よりも低く設定する。【選択図】図２
0003181227.tif 000002
【実用新案登録請求の範囲】
【請求項１】
温度計であり、前記温度計は：
本体部材とチップ部材を前記本体部材に確保される熱接触表面と共に含み；
前記チップ部材に設けられる熱センサを含み、これは前記熱接触表面を検知し温度シグナルを生成するように適合され；
前記温度シグナルを伝達するために前記熱センサに接続される一組のリード線；
前記本体部材に設けられる表示モジュール；
前記温度シグナルを受容するために前記一組のリード線と接続され、対応する温度読み取り値を表示するための前記表示モジュールを駆動する、開始電圧と操作電圧を持つプロセッサ；
前記本体部材に設けられ、電気エネルギーを生成するために駆動される発電装置：
前記発電装置により生成される電気エネルギーを貯蔵し、及び前記電気エネルギーを前記プロセッサに供給するキャパシタ；及び
電気的に前記キャパシタと前記プロセッサとの間に接続される、閾値電圧を持つ電圧スイッチを含み、前記閾値電圧が前記操作電圧よりも低い、温度計。
【請求項２】
請求項１に記載の温度計であり、前記閾値電圧が前記開始電圧と略等しいかやや低い、温度計。
【請求項３】
請求項２に記載の温度計であり、前記電圧スイッチが入り、プロセッサ７６が駆動されてスピーカーを通じてユーザに知らせるために音声を生成するか、又は表示モジュール１３を駆動して温度計が開始したか又は自己テストを実行しているかの状況を示す開始シグナルを表示し、その間、貯蔵されたキャパシタ電圧が少なくとも開始電圧まで増加される、温度計。
【請求項４】
請求項３に記載の温度計であり、前記プロセッサが駆動されて音声を生成してスピーカを通じてユーザに知らせるか、又は表示モジュール２３を駆動して、温度計が体温測定操作を実行する準備ができた状況を示す操作シグナルを表示させ、その間、前記貯蔵キャパシタ電圧はさらに、少なくとも操作電圧まで増加される、温度計。
【請求項５】
請求項４に記載の温度計であり、さらに、基板を持つベースプレートを含み、前記表示モジュール、前記プロセッサ、前記電圧スイッチ及びキャパシタが前記基板に設けられる、温度計。
【請求項６】
請求項５に記載の温度計であり、前記発電装置がさらに：
前記本体部材に設けられる回転シャフト；
前記本体部材表面に設けられるハンドル；及び
前記本体部材に設けられ、前記ハンドルに脱着可能に確保され、及び前記回転シャフトを駆動するために接続される一組のギアを含み、
前記ハンドルが手動で回転される際に、前記一組のギアが回転し、それにより前記回転シャフトが前記電気エネルギーを生成するために前記モーターを駆動するように回転される、温度計。
【請求項７】
請求項６に記載の温度計であり、前記一組のギアが：
前記ハンドルの回転中心と共軸に前記ハンドルに脱着可能に設けられるハンドルギア；及び
前記ハンドルギアと前記回転シャフトと噛み合う駆動ギアを含み、
前記ハンドルが一方向のみに手動で回転されると、前記モーターがＤ．Ｃ．電気エネルギーを生成するために駆動される、温度計。
【請求項８】
請求項７に記載の温度計であり、さらに、前記本体部材の表面に、非使用位置に前記ハンドルを収容するためのコンテナとして形成される溝を含む、温度計。
【考案の詳細な説明】
【技術分野】
【０００１】
本考案は温度計に関し、より具体的には電圧スイッチを持つ温度計に関する。
【背景技術】
【０００２】
一般に、電子温度計は、ヘルスケア分野において、従来のガラスと水銀による温度計に比べて非常に多くの利点を提供する。電子温度計の利点としては、使い捨てカバーを使用することで可能となる、ガラス温度計の殺菌手順を省くことができること、温度計を落とした場合にガラスの破壊を避けることができること、デジタル温度表示により温度読み取り間違いを避けることができること、適切な回路設計及び較正に基づき、より高い正確性と精度を持つ正確な測定が可能となり、１／１０度（華氏）の表示が容易に達成され得ること、などである。
【０００３】
そのような電子温度計は通常は、電力供給源として化学電池を使用する。しかし、電子温度計は一般に長時間使用されずに置かれる；というのは患者は病気又は気分が優れないと感じる時にのみ電子温度計を使用するからである。従って電力源として化学電池を用いるそのような電子温度計は環境に優しいものではない。
【考案の概要】
【考案が解決しようとする課題】
【０００４】
本考案は温度計、より具体的には電圧スイッチを持つ温度計に関する。
【課題を解決するための手段】
【０００５】
本考案の１つの例示的実施態様は、上記の問題を解決する温度計であり、本体部材とチップ部材を前記本体部材に確保される熱接触表面と共に含む。前記チップ部材の内部に設けられる熱センサは、熱接触表面を検知し、温度シグナルを生成するように適合される。一組のリード線が、前記熱シグナルを伝達するために前記熱センサと接続されている。表示モジュールが、前記本体部材に設けられる。開始電圧と操作電圧を持つ発電装置が前記本体部材内に設けられる。キャパシタが、それにより生成された電気エネルギーを貯蔵し、前記プロセッサへ電気エネルギーを供給するために、前記発電装置に電気的に接続される。閾値電圧を持つ電圧スイッチが、前記キャパシタと前記プロセッサの間に接続され、そこで前記閾値電圧が前記操作電圧よりも低い。
【０００６】
本考案は添付された図面で示される例示的実施態様により説明されるが、これに限定されるものではない。図面の類似する参照符号は類似する要素を示す。
【図面の簡単な説明】
【０００７】
【図１】図１は、本考案の１つの例示的実施態様による温度計を模式的に示す。
【図２】図２は、本考案の１つの例示的実施態様による発電装置を持つ温度計を模式的に示す。
【考案を実施するための形態】
【０００８】
図１及び２には、温度計の１つの実施態様が示される。前記温度計は、本体部材１０及びチップ部材１１からなる。通常は本体部材１０は、プローブ部１２及び表示部１５を含む。チップ部材１１は、本体部材１０のプローブ部１２へ確保されている。好ましくは、これは、中空キャビティを囲む熱接触表面を含む。１つの実施態様では、中空チップ部材１１は、好ましくは優れた熱伝導性を有する、ステンレス鋼などの金属からなる。
【０００９】
熱センサ５１は、チップ部材１１の端部に設けられ、前記熱接触表面の内部に設けられる。前記熱センサ５１は、前記熱接触表面の温度を検知し、温度シグナルを生成する。一組のリード線５２と５４が前記熱センサ５１に接続され前記温度シグナルを伝達する。
【００１０】
図２に示されるように、表示モジュール１３は表示部１５に設けられ、リード線５２と５４と接続されて、前記温度シグナルを受容して、対応する温度読み取り値を表示する。１つの実施態様では、表示部１５は、表示モジュール１３を支持するための基板２２を持つベースプレート３０を含む。集積回路チップなどのプロセッサ７６が、前記基板に、表示モジュール１３と結合されるように設けられる。プロセッサ７６は電気的にリード線５２と５４に接続されて前記温度シグナルを受容する；プロセッサは対応する温度読み取り値を示すように表示モジュール１３を駆動する。通常は、ベースプレート３０はプラスチック材料からなり基板２２はＰＣＢボードである。
【００１１】
１つの例では、前記部材１１は、チューブ形状で作られ、ドーム状、半球状又は半楕円球状の端部を持つ。前記接触表面は、患者の肉体と接触し、熱が前記患者の肉体からチップ部材１１へ伝達され得る。１つの実施態様では、前記熱センサ５１はサーミスタである。リード線５２と５４及びサーミスタ５１は共に、熱伝導性接着剤で前記熱接触表面の内部で接着されている。前記接着剤は、優れた熱導電性を有する絶縁材料、例えばエポキシ樹脂である。さらに、リード線５２と５４は、一対の電気リード線からなり；それらは、熱センサ５１をプロセッサ７６へ接続して表示すべき対応する温度を決定する。
【００１２】
図２を参照して、電力発電装置８０が本体部材１０内に設けられる。回転シャフト８５ａを持つモーター８５を含む電力発電装置８０は、回転シャフト８５ａが外部力により１つの方向に相互に回転される際に、その出力端子で電流を生成するように適用される。具体的には、モーター８５の出力端子は、結線７０を通じてキャパシタ７４へ接続されている。さらに、モーター８５は、回転シャフト８５ａが回転される際に電気エネルギーを生成するように駆動される。キャパシタ７４は、生成された電気エネルギーを貯蔵し、かつプロセッサに電気エネルギーを供給するために発電装置８０に接続される。
【００１３】
１つの実施態様では、発電装置８０の機械部品はさらに、本体部材１５の表面へ設けられるハンドル８１及びベースプレート３０の基板２２上に設けられる一組のギア８３を含む。前記一組のギア８３は、ハンドル８１へ脱着可能に確保され、回転シャフト８５ａを駆動するために組み合わされる。例えば、ハンドル８１が手動で回転されると、前記一組のギア８３が回転され、回転シャフト８５ａが回転されてモーター８５を駆動して前記電気エネルギーを生成させる。さらに、前記一組のギア８３は、ハンドル８１にハンドル８１の回転中心と共軸で脱着可能に設けられるハンドルギア８３ａを含み得る。駆動ギア８３ｂは、ハンドルギア８３ａと直接に又は他のギア８３ｃを通じて噛み合い、ハンドルギア８３ａの回転を駆動ギア８３ｂに伝達される。従って駆動ギア８３ｂと噛み合う回転シャフト８５ａは回転する。
【００１４】
さらに、図１を参照して、温度計１０はさらに、非使用の位置にハンドル８１を収容するためのコンテナとして本体部材１５の表面に形成される溝１３を含む。
【００１５】
この実施態様の操作が以下説明される。
【００１６】
ハンドル８１が手動で一方向に回転されると、ハンドルギア８３ａは回転され、それによりハンドルギア８３ａと噛み合う駆動ギア８３ｂが回転される。駆動ギア８３ｂは回転シャフト８５ａと噛み合うか脱着可能に確保されていることから、モーター８５のローターが駆動ギア８３ｂの回転により駆動され、モーター８５は発電装置として操作され電気エネルギーが生成される。こうして生成された電気エネルギーは、前記一組の結線７０を通じてキャパシタ７４へ供給されそこに貯蔵される。１つの実施態様で、ハンドル８１は、外部の力で一方向にのみ回転させるように設計される場合には、回転シャフト８５ａは同じ方向に回転し、Ｄ．Ｃ．電気エネルギーがキャパシタ７４に貯蔵される。従って前記発電装置の整流器は無視されてよい。
【００１７】
特に、モーター８５がこの回転駆動後に回転を開始する場合には、モーター８５は発電装置として駆動され、それにより生成される電流値は急速に増加する。キャパシタ７４は徐々に荷電され、それによりその端子電圧は徐々に増加することとなる。即ち、発電装置として作用するモーター８５により生成されるＤ．Ｃ．電気エネルギーはキャパシタ７４に貯蔵される。
【００１８】
ハンドル４の手動駆動が、ユーザの手がハンドル８１から放されて、前記駆動の開始から直ぐに停止される場合には、前記キャパシタ７４の貯蔵されているＤ．Ｃ．電気エネルギーがプロセッサに供給され、前記端子電圧はゆっくりと低下する。前記モーター８５の駆動の停止により、キャパシタ７４に貯蔵された前記Ｄ．Ｃ．電気エネルギーは完全に放電された。
【００１９】
さらに、閾値電圧Ｖ０を持つ電圧スイッチ７２が、ベースプレート３０の基板２２上に設けられ得る。１つの例では、電圧スイッチ７２は、キャパシタ７４とプロセッサ７６との間に電気的に接続される。
【００２０】
また、より低い開始電圧とより高い操作電圧を持つプロセッサ７６は、電力を得るためにキャパシタ７４と、温度シグナルを受容するためにリード線５２、５４との両方に接続され、対応する温度読み取り値を表示するための表示モジュール１３を駆動することが可能となる。１つの例では、キャパシタ７４は連続的に回転するハンドル８１により電気エネルギーを貯蔵する。その結果電圧スイッチ７２が入り、プロセッサ７６が駆動されてスピーカーを通じてユーザに知らせるために音声を生成するか、又は表示モジュール１３を駆動して温度計が開始したか又は自己テストを実行しているかの状況を示す開始シグナルを表示し、その間、貯蔵されたキャパシタ電圧が少なくとも約１．３Ｖの前記電圧スイッチ７２の閾値電圧に等しくなるかやや高い開始電圧まで増加される。
【００２１】
その後、プロセッサ７６は駆動されて音声を生成してスピーカを通じてユーザに知らせるか、又は表示モジュール２３を駆動して、温度計が体温測定操作を実行する準備ができた状況を示す操作シグナルを表示させ、その間、前記貯蔵キャパシタ電圧はさらに、少なくとも１又は２回の体温測定操作を実行するに十分である前記開始電圧よりも高い約１．５Ｖの少なくとも操作電圧Ｖ１まで増加される。
【００２２】
ユーザがその手を放すことで、ハンドル８１の手動駆動が駆動の開始から直ぐに停止される場合には、キャパシタ７４に貯蔵されているＤ．Ｃ．電気エネルギーかプロセッサ７６に供給され、前記端子電圧が徐々に下がることとなる。モーター８５の駆動の停止に伴い、前記キャパシタに貯蔵されているＤ．Ｃ．電気エネルギーはその後完全に放電される。さらに、キャパシタ７４の端子電圧値が閾値電圧Ｖ０以下に徐々に下がる間に電圧スイッチ７２が切られる。
【００２３】
そのような温度計においては、キャパシタは、要求に応じてプロセッサを使用するためにハンドルの外部の力による回転を通じて貯蔵され、電力供給を維持するための一時的電池のように使用され得る。従って環境汚染を容易に起こし得る化学電池を用いる必要はない。
【００２４】
本考案はここまで例示の方法で及び好ましい実施態様により説明されてきたが、理解されるべきことは、本考案は開示された実施態様には制限されないということである。むしろ、種々の変法又は類似の較正を含むことが意図されている（これは当業者には明らかである）。従って、添付の実用新案登録請求の範囲は、全てのこのような変法及び類似の構成を含むように可能な限り広く解釈されるべきである。
【図１】
0003181227.tif 000003
【図２】
0003181227.tif 000004